(57)【要約】【課題】異なる印刷ジョブにより印刷がなされた用紙を仕切る合紙を単に合紙として用いるだけでなく、ビジネス文書としても有効に活用できるようにし、印刷がなされた用紙の仕分け、発送準備を容易にするとともに、費用処理などの事務作業を迅速かつ正確に行うこと。【解決手段】複合機３０は、第１の印刷ジョブにより印刷がなされる第１の用紙と、第１の印刷ジョブのつぎに実行される第２の印刷ジョブにより印刷がなされる第２の用紙とを仕切る合紙に対する印刷処理を実行する場合に、第１の印刷ジョブ、または、第２の印刷ジョブの課金情報を含む印刷データを生成し、生成された印刷データを合紙に印刷する印刷処理を実行する。【選択図】図１
2013069109.tif 000002
【特許請求の範囲】
【請求項１】
第１の印刷ジョブにより印刷がなされる第１の用紙と、該第１の印刷ジョブのつぎに実行される第２の印刷ジョブにより印刷がなされる第２の用紙とを仕切る合紙に対する印刷処理を実行する印刷システムであって、
前記第１の印刷ジョブ、または、前記第２の印刷ジョブの課金情報を含む印刷データを生成するデータ生成部と、
該データ生成部により生成された印刷データを前記合紙に印刷する印刷処理を実行する印刷処理部と、
を備えたことを特徴とする印刷システム。
【請求項２】
前記印刷処理部は、前記第１の印刷ジョブの実行後、前記第２の印刷ジョブの実行前に、前記印刷処理を複数回実行することを特徴とする請求項１に記載の印刷システム。
【請求項３】
前記印刷処理部は、前記印刷処理がなされた合紙の一部を、前記第１の用紙および前記第２の用紙が排出されるトレイとは別のトレイに排出することを特徴とする請求項２に記載の印刷システム。
【請求項４】
前記印刷処理部は、前記課金される者に対して発行する文書の印刷データを印刷する印刷処理と、前記課金を行う者に対して発行する文書の印刷データを印刷する印刷処理とを実行することを特徴とする請求項２または３に記載の印刷システム。
【請求項５】
前記印刷処理部は、前記課金情報の印刷データを印刷する指示をユーザから受け付けたことに連動して、前記課金される者に対して発行する文書の印刷データを印刷する印刷処理と、前記課金を行う者に対して発行する文書の印刷データを印刷する印刷処理とを実行することを特徴とする請求項４に記載の印刷システム。
【請求項６】
前記印刷データをファイルとして出力する処理を実行する処理実行部をさらに備えたことを特徴とする請求項１に記載の印刷システム。
【請求項７】
前記処理実行部は、前記課金情報の印刷データを印刷する指示をユーザから受け付けたことに連動して、前記印刷データを前記合紙に印刷する印刷処理と、前記印刷データをファイルとして出力する処理とを実行することを特徴とする請求項６に記載の印刷システム。
【請求項８】
前記印刷データを記憶する記憶部をさらに備え、前記処理実行部は、前記記憶部に記憶された印刷データをファイルとして外部装置に出力する処理を実行することを特徴とする請求項６または７に記載の印刷システム。
【請求項９】
前記印刷処理部は、前記第１の用紙および前記第２の用紙を保持するトレイとは別のトレイに保持された前記合紙を用いて、前記印刷処理を実行することを特徴とする請求項１〜８のいずれか１項に記載の印刷システム。
【請求項１０】
前記合紙は、会社情報が印刷されたレターヘッド紙であることを特徴とする請求項９に記載の印刷システム。
【請求項１１】
前記課金情報は、前記課金される者の名称の情報を含むことを特徴とする請求項１〜１０のいずれか１項に記載の印刷システム。
【請求項１２】
前記印刷データは、さらに印刷される画像の情報を含むことを特徴とする請求項１〜１１のいずれか１項に記載の印刷システム。
【請求項１３】
第１の印刷ジョブにより印刷がなされる第１の用紙と、該第１の印刷ジョブのつぎに実行される第２の印刷ジョブにより印刷がなされる第２の用紙とを仕切る合紙に対する印刷処理を実行する印刷方法であって、
前記第１の印刷ジョブ、または、前記第２の印刷ジョブの課金情報を含む印刷データを生成するデータ生成ステップと、
該データ生成ステップにおいて生成された印刷データを前記合紙に印刷する印刷処理を実行する印刷処理ステップと、
を含むことを特徴とする印刷方法。
【発明の詳細な説明】
【技術分野】
【０００１】
本発明は、第１の印刷ジョブにより印刷がなされる第１の用紙と、第１の印刷ジョブのつぎに実行される第２の印刷ジョブにより印刷がなされる第２の用紙とを仕切る合紙に対する印刷処理を実行する印刷システム、および、印刷方法に関する。
【背景技術】
【０００２】
従来の複合機（MFP：Multi-Function Peripheral）には、ある印刷ジョブにより印刷される用紙と、その印刷ジョブとは別の印刷ジョブにより印刷される用紙との間に、それらの用紙を仕切るため、合紙を挿入する機能が備えられている。
【０００３】
例えば、特許文献１には、「これが最終ページです。」という文字が印刷された合紙を用紙間に挿入する印刷システムが開示されている。また、特許文献２には、合紙に印刷日や印刷者、印刷部数、印刷モード、印刷場所、ドキュメントの重要度等の情報を印刷する画像形成装置が開示されている。
【先行技術文献】
【特許文献】
【０００４】
【特許文献１】特開２００９−１４６１２６号公報
【特許文献２】特開２００７−２８０９８号公報
【発明の概要】
【発明が解決しようとする課題】
【０００５】
しかしながら、上述した特許文献１、２において合紙に印刷される情報は、顧客から印刷作業を請け負った印刷業者等が顧客との間のビジネスにおいて即座に利用できる有用な情報を含むものではない。
【０００６】
すなわち、合紙に印刷される内容が顧客との間で行うビジネスにおいて即座に利用できる有用な情報を含むものであるならば、それを単なる合紙として用いるだけでなく、ビジネス文書として有効に活用することができるようになる。
【０００７】
本発明は、上記実情に鑑み、異なる印刷ジョブにより印刷がなされた用紙を仕切る合紙を単に合紙として用いるだけでなく、ビジネス文書としても有効に活用できるようにし、印刷がなされた用紙の仕分け、発送準備を容易にするとともに、費用処理などの事務作業を迅速かつ正確に行うことを可能とする印刷システムおよび印刷方法を提供することを目的とする。
【課題を解決するための手段】
【０００８】
上記課題を解決する為に、本発明の第１の技術手段は、第１の印刷ジョブにより印刷がなされる第１の用紙と、該第１の印刷ジョブのつぎに実行される第２の印刷ジョブにより印刷がなされる第２の用紙とを仕切る合紙に対する印刷処理を実行する印刷システムであって、前記第１の印刷ジョブ、または、前記第２の印刷ジョブの課金情報を含む印刷データを生成するデータ生成部と、該データ生成部により生成された印刷データを前記合紙に印刷する印刷処理を実行する印刷処理部と、を備えたことを特徴とする。
【０００９】
本発明の第２の技術手段は、第１の技術手段において、前記印刷処理部は、前記第１の印刷ジョブの実行後、前記第２の印刷ジョブの実行前に、前記印刷処理を複数回実行することを特徴とする。
【００１０】
本発明の第３の技術手段は、第２の技術手段において、前記印刷処理部は、前記印刷処理がなされた合紙の一部を、前記第１の用紙および前記第２の用紙が排出されるトレイとは別のトレイに排出することを特徴とする。
【００１１】
本発明の第４の技術手段は、第２または第３の技術手段において、前記印刷処理部は、前記課金される者に対して発行する文書の印刷データを印刷する印刷処理と、前記課金を行う者に対して発行する文書の印刷データを印刷する印刷処理とを実行することを特徴とする。
【００１２】
本発明の第５の技術手段は、第４の技術手段において、前記印刷処理部は、前記課金情報の印刷データを印刷する指示をユーザから受け付けたことに連動して、前記課金される者に対して発行する文書の印刷データを印刷する印刷処理と、前記課金を行う者に対して発行する文書の印刷データを印刷する印刷処理とを実行することを特徴とする。
【００１３】
本発明の第６の技術手段は、第１の技術手段において、前記印刷データをファイルとして出力する処理を実行する処理実行部をさらに備えたことを特徴とする。
【００１４】
本発明の第７の技術手段は、第６の技術手段において、前記処理実行部は、前記課金情報の印刷データを印刷する指示をユーザから受け付けたことに連動して、前記印刷データを前記合紙に印刷する印刷処理と、前記印刷データをファイルとして出力する処理とを実行することを特徴とする。
【００１５】
本発明の第８の技術手段は、第６または第７の技術手段において、前記印刷データを記憶する記憶部をさらに備え、前記処理実行部は、前記記憶部に記憶された印刷データをファイルとして外部装置に出力する処理を実行することを特徴とする。
【００１６】
本発明の第９の技術手段は、第１〜第８のいずれか１つの技術手段において、前記印刷処理部は、前記第１の用紙および前記第２の用紙を保持するトレイとは別のトレイに保持された前記合紙を用いて、前記印刷処理を実行することを特徴とする。
【００１７】
本発明の第１０の技術手段は、第９の技術手段において、前記合紙は、会社情報が印刷されたレターヘッド紙であることを特徴とする。
【００１８】
本発明の第１１の技術手段は、第１〜第１０のいずれか１つの技術手段において、前記課金情報は、前記課金される者の名称の情報を含むことを特徴とする。
【００１９】
本発明の第１２の技術手段は、第１〜第１１のいずれか１つの技術手段において、前記印刷データは、さらに印刷される画像の情報を含むことを特徴とする。
【００２０】
本発明の第１３の技術手段は、第１の印刷ジョブにより印刷がなされる第１の用紙と、該第１の印刷ジョブのつぎに実行される第２の印刷ジョブにより印刷がなされる第２の用紙とを仕切る合紙に対する印刷処理を実行する印刷方法であって、前記第１の印刷ジョブ、または、前記第２の印刷ジョブの課金情報を含む印刷データを生成するデータ生成ステップと、該データ生成ステップにおいて生成された印刷データを前記合紙に印刷する印刷処理を実行する印刷処理ステップと、を含むことを特徴とする。
【発明の効果】
【００２１】
本発明によれば、第１の印刷ジョブにより印刷がなされる第１の用紙と、第１の印刷ジョブのつぎに実行される第２の印刷ジョブにより印刷がなされる第２の用紙とを仕切る合紙に対する印刷処理を実行する場合に、第１の印刷ジョブ、または、第２の印刷ジョブの課金情報を含む印刷データを生成し、生成された印刷データを合紙に印刷する印刷処理を実行することとしたので、異なる印刷ジョブにより印刷がなされた用紙を仕切る合紙を単に合紙として用いるだけでなく、ビジネス文書としても有効に活用できるようにし、印刷がなされた用紙の仕分け、発送準備を容易にするとともに、費用処理などの事務作業を迅速かつ正確に行うことが可能となる。
【図面の簡単な説明】
【００２２】
【図１】本発明の実施形態に係る印刷システムの一例を示す図である。
【図２】本発明の実施形態に係るクライアント装置の構成の一例を示すブロック図である。
【図３】クライアント装置に表示されるプリンタドライバのユーザインターフェースの一例を示す図である。
【図４】印刷条件の設定画面の一例を示す図である。
【図５】本発明の実施形態に係るサーバ装置の構成の一例を示すブロック図である。
【図６】本発明の実施形態に係る複合機の構成の一例を示すブロック図である。
【図７】本発明の実施形態に係る印刷処理により印刷される画像データの一例を示す図である。
【図８】複合機の制御部が行う印刷制御処理の一例を示す図である。
【図９】複合機の制御部が行う印刷制御処理の他の一例を示す図である。
【図１０】図９に示した印刷処理後の用紙の排出状態を示す図である。
【図１１】複合機の制御部が行う印刷制御処理の他の一例を示す図である。
【図１２】図１１に示した印刷処理後の用紙の排出状態を示す図である。
【図１３】本発明の実施形態に係る印刷処理の処理手順の一例を示すフローチャートである。
【図１４】印刷実行処理の処理手順の一例を示すフローチャートである。
【発明を実施するための形態】
【００２３】
以下、本発明の実施形態について図面を参照して詳細に説明する。図１は、本発明の実施形態に係る印刷システムの一例を示す図である。この印刷システムでは、クライアント装置１０、サーバ装置２０、複合機（MFP：Multi-Function Peripheral）３０がネットワーク４０を介して接続される。
【００２４】
クライアント装置１０は、サーバ装置２０に文書や画像などの印刷依頼を行う装置である。この印刷依頼を行った者に対しては、文書や画像などのページ数や部数、ページ当たりの印刷単価、パンチ穴開けなどの後処理の有無などに応じて課金がなされる。そして、本発明では、ある印刷ジョブにより印刷された用紙と、その印刷ジョブとは別の印刷ジョブにより印刷された用紙とを仕切る合紙に、上記課金情報が印刷される。
【００２５】
この場合、印刷依頼を受け付けたサーバ装置２０は、印刷依頼を行った者に対して課金する金額を算出する。そして、サーバ装置２０は、印刷ジョブの実行を指示する制御メッセージをその金額の情報ととともに複合機３０に送信する。
【００２６】
続いて、複合機３０は、その印刷ジョブを実行するとともに、課金情報を合紙に印刷する印刷処理を実行する。そして、印刷処理が完了した後、複合機３０は、サーバ装置２０に対して、印刷が完了したことを報告するメッセージを送信する。
【００２７】
このように、合紙に課金情報を印刷することにより、合紙を単に用紙を仕切るために用いるだけでなく、ビジネス文書としても有効に活用することができるようになり、用紙の仕分け、発送準備が容易になるとともに、費用処理などの事務作業を迅速かつ正確に行うことが可能となる。
【００２８】
つぎに、本発明の実施形態に係るクライアント装置１０の構成について説明する。図２は、本発明の実施形態に係るクライアント装置１０の構成の一例を示すブロック図である。クライアント装置１０は、例えば、パーソナルコンピュータなどの装置である。このクライアント装置１０は、入力部１１、表示部１２、ネットワークインターフェース部１３、記憶部１４、制御部１５を備える。
【００２９】
入力部１１は、キーボードやマウスなどの入力デバイスである。表示部１２は、液晶ディスプレイなどの表示デバイスである。ネットワークインターフェース部１３は、ネットワーク４０を介して、サーバ装置２０や複合機３０などの他の装置と通信を行う通信デバイスである。
【００３０】
記憶部１４は、メモリやハードディスク装置などの記憶デバイスである。この記憶部１４は、印刷データ１４ａ、印刷設定データ１４ｂなどを記憶する。印刷データ１４ａは、サーバ装置２０に印刷依頼を行う際の印刷対象となる文書や画像などのデータである。印刷設定データ１４ｂは、サーバ装置２０に印刷依頼を行う際の印刷条件が設定された設定データである。この設定データは、クライアント装置１０を操作する利用者により設定される。
【００３１】
図３は、クライアント装置１０に表示されるプリンタドライバのユーザインターフェース５０の一例を示す図である。図３（Ａ）に示すように、このユーザインターフェース５０には、印刷依頼を行うプリンタやサーバ装置２０を選択可能なプルダウンメニュー５１が表示される。
【００３２】
そして、図３（Ｂ）に示すように、印刷依頼を行う装置としてサーバ装置２０（図３（Ｂ）の例では、「Print Server System」）が選択され、さらにプロパティボタン５２が利用者のマウス等の操作によりクリックされると、印刷条件の設定画面が表示される。なお、ＯＫボタン５３とキャンセルボタン５４は、印刷処理の実行指示、または、キャンセル指示をユーザから受け付けるボタンである。
【００３３】
図４は、印刷条件の設定画面６０の一例を示す図である。この設定画面６０には、印刷を行うプリンタや複合機の選択を利用者から受け付けるプルダウンメニュー６１が表示される。また、設定画面６０には、印刷ジョブ単位で合紙の印刷をするか否かの設定を利用者から受け付けるチェックボックス６２と、合紙の印刷をする場合に、課金される者に対して発行される文書（受け側用文書）のみを印刷するのか、課金を行う者に対して発行される文書（送り側用文書）のみを印刷するのか、あるいは、その両方を印刷するのかの選択を利用者から受け付けるラジオボタン６３が表示される。
【００３４】
また、設定画面６０には、電子メールやＦＴＰ（File Transfer Protocol）通信で他の装置に合紙の画像データの送信などを行うため、合紙の画像データを保存するか否かの設定を利用者から受け付けるチェックボックス６４と、合紙の画像データを保存する場合に、課金される者に対して発行される文書（受け側用文書）の合紙のみ画像データを保存するのか、課金を行う者に対して発行される文書（送り側用文書）の合紙のみ画像データを保存するのか、あるいは、その両方を保存するのかの設定を利用者から受け付けるラジオボタン６５が表示される。
【００３５】
さらに、設定画面６０には、合紙の印刷を印刷ジョブの前に行うのか、印刷ジョブの後に行うのかの設定を利用者から受け付けるチェックボックス６６、印刷された用紙に後処理としてパンチ穴開けを行うか否かの設定を利用者から受け付けるチェックボックス６７、および、印刷がなされる用紙のサイズの設定を利用者から受け付けるプルダウンメニュー６８が表示される。
【００３６】
また、設定画面６０には、印刷ジョブの実行時に印刷データ１４ａの印刷に用いられる用紙を供給するトレイの選択を利用者から受け付けるプロダウンメニュー６９と、印刷データ１４ａの印刷がなされた用紙を排出するトレイの選択を利用者から受け付けるプルダウンメニュー７０とが表示される。
【００３７】
さらに、設定画面６０には、合紙の印刷をする場合に、印刷をする用紙（例えば、会社名や会社の住所、会社のロゴマークなどの会社情報が印刷された所定サイズのレターヘッド紙）を供給するトレイの選択を利用者から受け付けるプルダウンメニュー７１と、課金を行う者に対して発行される文書（送り側用文書）を印刷した合紙を排出するトレイの選択を利用者から受け付けるプルダウンメニュー７２と、課金される者に対して発行される文書（受け側用文書）を印刷した合紙を排出するトレイの選択を利用者から受け付けるプルダウンメニュー７３が表示される。
【００３８】
ここで、ラジオボタン６３において、課金される者に対して発行される文書（受け側用文書）のみの印刷が選択され、合紙が１枚だけ印刷される場合、印刷制御部１５ｂは、プルダウンメニュー７０における設定されたページ排紙トレイと、プルダウンメニュー７３において設定された受け側合紙排紙トレイとが同一のトレイに設定されているか否かを判定し、それらが同一のトレイに設定されておらず、ページ排紙トレイに合紙が排紙されない設定となっている場合、エラーメッセージを表示して、ユーザに設定を見直すように促す処理を行う。
【００３９】
同様に、ラジオボタン６３において、課金を行う者に対して発行される文書（送り側用文書）のみの印刷が選択され、合紙が１枚だけ印刷される場合、後に説明する印刷制御部１５ｂは、プルダウンメニュー７０において設定されたページ排紙トレイと、プルダウンメニュー７２において設定された送り側合紙排紙トレイとが同一のトレイに設定されているか否かを判定し、それらが同一のトレイに設定されておらず、ページ排紙トレイに合紙が排紙されない設定となっている場合、エラーメッセージを表示して、ユーザに設定を見直すように促す処理を行う。
【００４０】
なお、ラジオボタン６３において、課金される者に対して発行される文書（受け側用文書）のみの印刷が選択され、合紙が１枚だけ印刷される場合、印刷制御部１５ｂが、プルダウンメニュー７０において設定されたページ排紙トレイと同一のトレイに、プルダウンメニュー７３の受け側合紙排紙トレイを自動的に設定することとしてもよい。
【００４１】
同様に、ラジオボタン６３において、課金を行う者に対して発行される文書（送り側用文書）のみの印刷が選択され、合紙が１枚だけ印刷される場合、印刷制御部１５ｂが、プルダウンメニュー７０において設定されたページ排紙トレイと同一のトレイに、プルダウンメニュー７２の送り側合紙排紙トレイを自動的に設定することとしてもよい。
【００４２】
また、設定画面６０には、合紙に印刷される課金情報に含まれる宛名を設定する宛名印刷設定ボタン７４が表示される。宛名印刷設定ボタン７４が利用者によるマウス等の操作によりクリックされると、宛名の入力を利用者から受け付ける画面が表示され、利用者により入力された宛名が合紙に印刷される宛名として設定される。
【００４３】
また、設定画面６０には、宛名をアドレス帳から選択するための宛名選択ボタン７５が表示される。この宛名選択ボタン７５が利用者によるマウス等の操作によりクリックされると、サーバ装置２０にアドレス帳の送信要求が送信される。そして、その送信要求に応じて送信されたアドレス帳が受信され、受信されたアドレス帳が表示される。さらに、そのアドレス帳の中から利用者により宛名が選択された場合、その宛名が合紙に印刷される宛名として設定される。
【００４４】
さらに、設定画面６０には、各印刷依頼を識別する注文番号を取得するための注文番号ボタン７６が表示される。この注文番号ボタン７６が利用者によるマウス等の操作によりクリックされると、サーバ装置２０に注文番号の割り当て要求が送信される。そして、その注文番号の割り当て要求に応じて割り当てられた注文番号がサーバ装置２０から取得され、その注文番号が表示される。
【００４５】
そして、図２に示す印刷設定データ１４ｂには、プルダウンメニュー６１、６８〜７３、チェックボックス６２、６４、６６、６７、ラジオボタン６３、６５、宛名印刷設定ボタン７４、宛名選択ボタン７５、注文番号ボタン７６を用いて利用者によりなされた各種設定が登録される。
【００４６】
制御部１５は、クライアント装置１０の各機能部を制御するＣＰＵ（Central Processing Unit）などの制御デバイスである。この制御部１５は、アプリケーション実行部１５ａ、印刷制御部１５ｂを備える。
【００４７】
アプリケーション実行部１５ａは、文書や画像などを作成したり、編集したりするアプリケーションプログラムを実行する処理部である。印刷制御部１５ｂは、アプリケーション実行部１５ａにより実行されたアプリケーションプログラムにおいて、利用者から文書や画像などの印刷要求を受け付けた場合に、複合機３０を制御して、印刷処理の実行制御を行う処理部である。
【００４８】
例えば、印刷制御部１５ｂは、利用者から印刷要求を受け付けた場合に、図３に示したユーザインターフェース５０や、図４に示した印刷条件の設定画面６０を表示部１２に表示させ、利用者から各種設定を受け付ける。
【００４９】
また、印刷制御部１５ｂは、サーバ装置２０を介さずに印刷データ１４ａの印刷依頼を直接複合機３０に行う場合、印刷データ１４ａや利用者から受け付けた各種設定を含む印刷ジョブ実行要求を、ネットワークインターフェース部１３を介して複合機３０に送信する。
【００５０】
また、印刷制御部１５ｂは、サーバ装置２０を介して印刷データ１４ａの印刷依頼を複合機３０に行う場合、印刷データ１４ａや利用者から受け付けた各種設定を含む印刷ジョブ実行要求を、ネットワークインターフェース部１３を介してサーバ装置２０に送信する。
【００５１】
さらに、印刷制御部１５ｂは、図４に示した宛名選択ボタン７５が利用者によるマウス等の操作によりクリックされた場合に、サーバ装置２０にアドレス帳の送信要求を送信し、その結果サーバ装置２０により送信されたアドレス帳を受信する。そして、そのアドレス帳の中から利用者により宛名が選択された場合、印刷制御部１５ｂは、その宛名を合紙に印刷する宛名として設定する。
【００５２】
また、印刷制御部１５ｂは、図４に示した注文番号ボタン７６が利用者によるマウス等の操作によりクリックされた場合に、サーバ装置２０に注文番号の割り当て要求を送信する。そして、印刷制御部１５ｂは、その結果割り当てられた注文番号をサーバ装置２０から受信し、受信した注文番号を合紙に印刷する注文番号として設定する。
【００５３】
つぎに、本発明の実施形態に係るサーバ装置２０の構成について説明する。図５は、本発明の実施形態に係るサーバ装置２０の構成の一例を示すブロック図である。このサーバ装置２０は、ネットワークインターフェース部２１、記憶部２２、制御部２３を備える。
【００５４】
ネットワークインターフェース部２１は、ネットワーク４０を介して、クライアント装置１０や複合機３０などの他の装置と通信を行う通信デバイスである。記憶部２２は、メモリやハードディスク装置などの記憶デバイスである。この記憶部２２は、印刷ジョブ実行要求２２ａ、料金データ２２ｂ、課金額データ２２ｃ、アドレス帳２２ｄ、注文番号データ２２ｅなどを記憶する。
【００５５】
印刷ジョブ実行要求２２ａは、クライアント装置１０から受信した印刷ジョブ実行要求のデータである。この印刷ジョブ実行要求２２ａは、印刷データ１４ａやその印刷データ１４ａを印刷する印刷ジョブの各種設定を含んでいる。
【００５６】
料金データ２２ｂは、印刷依頼をした利用者に課金する課金額を算出するために用いられるデータである。この料金データ２２ｂは、１ページ当たりの印刷料金や、パンチ穴開けなどの後処理の料金など、課金額を算出するために必要なデータが含まれる。
【００５７】
課金額データ２２ｃは、後に説明する課金額算出部２３ｃにより算出された課金額を記憶したデータである。アドレス帳２２ｄは、課金される者の宛名が登録されたアドレス帳のデータである。注文番号データ２２ｅは、各印刷ジョブに割り当てられた注文番号のデータである。
【００５８】
制御部２３は、サーバ装置２０の各機能部を制御するＣＰＵなどの制御デバイスである。この制御部２３は、印刷ジョブ実行要求送受信部２３ａ、情報提供処理部２３ｂ、課金額算出部２３ｃを備える。
【００５９】
印刷ジョブ実行要求送受信部２３ａは、クライアント装置１０から印刷ジョブ実行要求を受信し、記憶部２２に記憶するとともに、記憶部２２に記憶された印刷ジョブ実行要求を読み出し、読み出した印刷ジョブ実行要求を複合機３０に送信する処理部である。印刷ジョブ実行要求送受信部２３ａは、印刷ジョブ実行要求を複合機３０に送信する際、つぎに説明する課金額算出部２３ｃにより算出された課金額のデータも併せて送信する。
【００６０】
情報提供処理部２３ｂは、クライアント装置１０に印刷ジョブの注文情報を提供する処理部である。具体的には、情報提供処理部２３ｂは、クライアント装置１０からアドレス帳２２ｄの送信要求を受信した場合に、記憶部２２からアドレス帳２２ｄを読み出し、読み出したアドレス帳２２ｄをクライアント装置１０に送信する。
【００６１】
また、情報提供処理部２３ｂは、印刷ジョブの注文番号の割り当て要求をクライアント装置１０から受信した場合に、記憶部２２から注文番号データ２２ｅを読み出し、注文番号データ２２ｅにすでに登録されている注文番号以外の注文番号をその印刷ジョブに割り当て、割り当てた注文番号をクライアント装置１０に送信する。また、情報提供処理部２３ｂは、新たに割り当てた注文番号を注文番号データ２２ｅに登録する。
【００６２】
課金額算出部２３ｃは、印刷依頼をした利用者に課金する課金額を算出する処理部である。例えば、課金額算出部２３ｃは、記憶部２２ｂから印刷ジョブ実行要求２２ａおよび料金データ２２ｂを読み出し、印刷ジョブ実行要求２２ａに含まれるページ数の情報や後処理の有無の情報、料金データ２２ｂに含まれる１ページ当たりの印刷料金や後処理の料金の情報を用いて課金額を算出する。
【００６３】
つぎに、本発明の実施形態に係る複合機３０の構成について説明する。図６は、本発明の実施形態に係る複合機３０の構成の一例を示すブロック図である。この複合機３０は、入力部３１、表示部３２、ネットワークインターフェース部３３、電話網インターフェース部３４、処理実行部３５、トレイ３６、トレイ選択部３７、記憶部３８、制御部３９を備える。
【００６４】
入力部３１は、タッチパッドなどの入力デバイスである。表示部３２は、液晶パネルなどの表示デバイスである。ネットワークインターフェース部３３は、ネットワーク４０を介して、クライアント装置１０やサーバ装置２０などの他の装置と通信を行う通信デバイスである。電話網インターフェース部３４は、電話網を介して他のファクシミリ装置との間でファクシミリの送受信を行う通信デバイスである。
【００６５】
処理実行部３５は、各種の画像形成処理を実行する処理部である。この処理実行部３５は、印刷処理部３５ａ、コピー処理部３５ｂ、スキャン処理部３５ｃ、ＦＡＸ処理部３５ｄ、電子メール送受信処理部３５ｅを備える。
【００６６】
印刷処理部３５ａは、印刷ジョブを実行する処理部である。コピー処理部３５ｂは、原稿のコピー処理を行う処理部である。スキャン処理部３５ｃは、原稿のスキャン処理を行う処理部である。コピー処理を行う場合、コピー処理部３５ｃは、スキャン処理部３５ｂに原稿のスキャンを依頼し、その結果得られた画像データの印刷を印刷処理部３５ａに依頼する。ＦＡＸ処理部３５ｄは、ファクシミリの送受信処理を行う処理部である。電子メール送受信処理部３５ｅは、ネットワークインターフェース部３３を介して、電子メールの送受信を行う処理部である。
【００６７】
トレイ３６は、印刷用に供給される用紙を保持し、また、印刷後に排出された用紙を保持するトレイである。このトレイ３６は、第１給紙トレイ３６ａ、第２給紙トレイ３６ｂ、第１排紙トレイ３６ｃ、第２排紙トレイ３６ｄを備える。
【００６８】
第１給紙トレイ３６ａ、および、第２給紙トレイ３６ｂは、それぞれ印刷用に供給される用紙を保持するトレイである。第１排紙トレイ３６ｃ、および、第２排紙トレイ３６ｄは、それぞれ印刷後に排出された用紙を保持するトレイである。
【００６９】
トレイ選択部３７は、印刷用に供給される用紙を保持しているトレイ、および、印刷された用紙を排出するトレイを選択する処理部である。このトレイ選択部３７は、給紙トレイ選択部３７ａ、および、排紙トレイ選択部３７ｂを備える。
【００７０】
給紙トレイ選択部３７ａは、給紙トレイの設定データに基づいて、第１給紙トレイ３６ａ、および、第２給紙トレイ３６ｂのうち、印刷用に供給される用紙を保持する給紙トレイを選択する処理部である。排紙トレイ選択部３７ｂは、排紙トレイの設定データに基づいて、第１排紙トレイ３６ｃ、および、第２排紙トレイ３６ｄのうち、印刷された用紙を排出する排紙トレイを選択する処理部である。
【００７１】
記憶部３８は、メモリやハードディスク装置などの記憶デバイスである。この記憶部３８は、印刷ジョブ実行要求３８ａ、課金額データ３８ｂ、合紙データ３８ｃなどを記憶する。
【００７２】
印刷ジョブ実行要求３８ａは、サーバ装置２０から受信した印刷ジョブ実行要求のデータである。この印刷ジョブ実行要求３８ａは、印刷データ１４ａとその印刷データ１４ａを印刷する印刷ジョブの各種設定を含んでいる。課金額データ３８ｂは、サーバ装置２０により算出され、送信された課金額のデータである。合紙データ３８ｃは、後に説明するデータ生成部３９ｂにより生成される画像データである。
【００７３】
制御部３９は、複合機３０の各機能部を制御するＣＰＵなどの制御デバイスである。この制御部３９は、印刷ジョブ実行要求受信部３９ａ、データ生成部３９ｂ、処理制御部３９ｃを備える。
【００７４】
印刷ジョブ実行要求受信部３９ａは、サーバ装置２０から印刷ジョブ実行要求を受信し、記憶部３８に記憶する処理部である。データ生成部３９ｂは、合紙に印刷される画像データを生成する処理部である。具体的には、データ生成部３９ｂは、記憶部３８から印刷ジョブ実行要求３８ａを読み出し、印刷ジョブ実行要求３８ａに含まれる宛名情報、課金情報、注文番号情報などから画像データを生成し、生成した画像データを記憶部３８に記憶する。
【００７５】
記憶部３８に記憶された画像データは、印刷処理部３５ａにより印刷され、ＦＡＸ処理部３５ｄにより送信され、あるいは、電子メール送受信部３５ｅによりファイルとして電子メールに添付されて送信される。
【００７６】
処理制御部３９ｃは、印刷処理部３５ａ、コピー処理部３５ｂ、スキャン処理部３５ｃ、ＦＡＸ処理部３５ｄ、電子メール送受信処理部３５ｅを制御して、印刷処理、コピー処理、スキャン処理、ファクシミリ送受信処理、電子メール送受信処理を実行させる処理部である。
【００７７】
図７は、本発明の実施形態に係る印刷処理により印刷される画像データの一例を示す図である。この印刷処理では、利用者により印刷依頼がなされた文書または画像８０の画像データと、課金を行う者に対して発行される文書（送り側用文書）８１の画像データと、課金される者に対して発行される文書（受け側用文書）８２の画像データとが生成される。
【００７８】
そして、文書８１、８２の画像データには、宛名情報、課金情報、注文番号情報などが含められる。これにより、文書８２が合紙に印刷された場合に、その合紙を課金される者に対して発行される請求書としてそのまま用いることができるようになり、事務作業を迅速かつ正確に行うことが可能となる。
【００７９】
また、文書８２には、割引チケット８３が含まれる。課金される者は、合紙に印刷された割引チケット８３を次回の入金時に請求書に添えて提出することにより、割引サービスを受けることができる。
【００８０】
ここで、文書８１には、文書８２と同様の課金情報が含まれる。このように、同様の課金情報を含む文書８１、８２を合紙に印刷することにより、そのうちの一方を課金される者に対して発行する請求書として用い、もう一方を課金を行う者の控えとして用いることができる。
【００８１】
図８は、複合機３０の制御部３９が行う印刷制御処理の一例を示す図である。制御部３９の印刷ジョブ実行要求受信部３９ａは、サーバ装置２０から印刷ジョブ実行要求を受信する。この印刷ジョブ実行要求には、サーバ装置２０により算出された課金額データ２２ｃに加え、合紙設定データ９０、および、印刷ジョブデータ９１が含まれる。
【００８２】
そして、合紙設定データ９０には、
・印刷ジョブ単位で合紙の印刷を行うか否かの設定データ、
・課金される者に対して発行される文書（受け側用文書）を合紙に印刷するのか、課金を行う者に対して発行される文書（送り側用文書）を合紙に印刷するのか、あるいは、その両方を別々の合紙に印刷するのかが設定された設定データ、
・他の装置に合紙の画像データの送信などを行うため、合紙の画像データを保存するか否かの設定データ、
・合紙の画像データを保存する場合に、課金される者に対して発行される文書（受け側用文書）の合紙の画像データを保存するのか、課金を行う者に対して発行される文書（送り側用文書）の合紙の画像データを保存するのか、あるいは、その両方を保存するのかの設定データ、
・合紙の印刷を印刷ジョブの実行前に行うのか、印刷ジョブの実行後に行うのかの設定データ、
・合紙を供給する給紙トレイの設定データ、
・課金を行う者に対して発行される文書（送り側用文書）を印刷した合紙を排出するトレイの設定データ、
・課金される者に対して発行される文書（受け側用文書）を印刷した合紙を排出するトレイの設定データ、
・合紙に印刷される宛名や注文番号の設定データ、
などが含まれる。
【００８３】
また、印刷ジョブデータ９１には、
・サーバ装置２０を介してクライアント装置１０から受信した印刷データ１４ａ、
・印刷を行うプリンタや複合機を設定した設定データ、
・パンチ穴開けを行うか否かの設定データ、
・印刷がなされる用紙のサイズを設定した設定データ、
・印刷ジョブの実行時に文書等の印刷に用いられる用紙を供給するトレイの設定データ、
・印刷がなされた用紙を排出するトレイの設定データ、
などが含まれる。
【００８４】
そして、制御部３９のデータ生成部３９ｂは、合紙設定データ９０と課金額データ２２ｃとを用いて、合紙に印刷される画像データを生成する処理を行う。図８の例では、図４に示した設定画面６０において、チェックボックス６４がチェックされ、また、ラジオボタン６５において、課金を行う者に対して発行される文書（送り側用文書）の合紙の画像データのみを保存するボタンが選択された場合が示されている。
【００８５】
この場合、データ生成部３９ｂは、課金を行う者に対して発行される文書（送り側用文書）の合紙の画像データ９２を生成し、生成した画像データ９２を記憶部３８に記憶する。この画像データ９２は、後にＦＡＸ処理部３５ｄによりファクシミリ送信がなされ、または、電子メール送受信部３５ｅによりファイルとして電子メールに添付されて送信される。これにより、課金を行う者は、どこにいても合紙の画像データを容易に得ることができる。
【００８６】
また、データ生成部３９ｂは、課金される者に対して発行される文書（送り側用文書）の合紙の画像データ９３を生成する。図８の例では、図４に示した設定画面６０において、チェックボックス６６がチェックされていないものとする。この場合、制御部３９の処理制御部３９ｃは、まず印刷ジョブデータ９１を印刷処理部３５ａに出力して、印刷処理部３５ａに印刷データ１４ａの印刷を行わせ、その後、合紙画像データ９３を印刷処理部３５ａに出力して、印刷処理部３５ａに合紙画像データ９３の印刷を行わせる。
【００８７】
図８に示す印刷ジョブデータ９１では、印刷データ１４ａの印刷に用いられる用紙を供給する給紙トレイの設定データに「自動」と設定されている。この設定データは、図４に示した設定画面６０のプルダウンメニュー６９において利用者により設定されたものである。この場合、図４に示したプルダウンメニュー６８を操作して利用者により設定された原稿サイズに対応する用紙が保持されている給紙トレイから用紙が供給される。
【００８８】
また、図８に示す印刷ジョブデータ９１では、印刷がなされた用紙を排出する排紙トレイの設定データに「第１排紙トレイ」と設定されている。この設定データは、図４に示した設定画面６０のプルダウンメニュー７０において利用者により設定されたものである。ここで、「第１排紙トレイ」は、図４におけるプルダウンメニュー７０に表示されている「トレイ１」に対応する。この場合、図６に示した第１排紙トレイ３６ｃに印刷後の用紙が排出される。
【００８９】
また、合紙画像データ９３には、印刷用の合紙を供給する給紙トレイの設定データが付加されるが、図８に示す設定データではその給紙トレイが「第１給紙トレイ」に設定されている。これは、図４に示した設定画面６０のプルダウンメニュー７１において利用者により設定されたものである。ここで、「第１給紙トレイ」は、図４におけるプルダウンメニュー７１に表示されている「トレイ２」に対応する。この場合、図６に示した第２給紙トレイ３６ｂから印刷用紙が供給される。
【００９０】
また、合紙画像データ９３には、課金される者に対して発行される文書（受け側用文書）を印刷した合紙を排出する排紙トレイの設定データが付加されるが、図８に示す設定データではその排紙トレイが「第１排紙トレイ」に設定されている。これは、図４に示した設定画面６０のプルダウンメニュー７３において利用者により設定されたものである。ここで、「第１排紙トレイ」は、図４におけるプルダウンメニュー７３に表示されている「トレイ１」に対応する。この場合、図６に示した第１排紙トレイ３６ｃに印刷後の合紙が排出される。
【００９１】
図９は、複合機３０の制御部３９が行う印刷制御処理の他の一例を示す図である。この例では、図８の場合と異なり、図４に示した設定画面６０において、チェックボックス６４がチェックされていないものとする。また、利用者のプルダウンメニュー７１の操作により、印刷用の合紙を供給する給紙トレイとして、図６に示す第１給紙トレイ３６ａが選択され、利用者のプルダウンメニュー７２の操作により、課金を行う者に対して発行される文書（送り側用文書）を印刷した合紙を排出する排紙トレイとして、図６に示す第１給紙トレイ３６ｄが選択されたものとする。
【００９２】
この場合、制御部３９のデータ生成部３９ｂは、合紙設定データ９０と課金額データ２２ｃとを用いて、課金を行う者に対して発行される文書（送り側用文書）の合紙の画像データ９２と、課金される者に対して発行される文書（受け側用文書）の合紙の画像データ９３とを生成する。
【００９３】
なお、図９の例では、図４に示した設定画面６０において、チェックボックス６６がチェックされていないものとする。この場合、制御部３９の処理制御部３９ｃは、まず印刷ジョブデータ９１を印刷処理部３５ａに出力して、印刷処理部３５ａに印刷データ１４ａの印刷を行わせる。その後、処理制御部３９ｃは、合紙画像データ９３を印刷処理部３５ａに出力して、印刷処理部３５ａに合紙画像データ９３の印刷を行わせる。さらに、処理制御部３９ｃは、合紙画像データ９２を印刷処理部３５ａに出力して、印刷処理部３５ａに合紙画像データ９２の印刷を行わせる。
【００９４】
図１０は、図９に示した印刷処理後の用紙の排出状態を示す図である。図９の例では、利用者により依頼された印刷ジョブにより印刷データ１４ａが印刷された用紙が第１排紙トレイ３６ｃに排出されるように設定され、合紙画像データ９３を印刷した合紙が第１排紙トレイ３６ｃに排出されるように設定され、合紙画像データ９２を印刷した合紙が第２排紙トレイ３６ｄに排出されるように設定されている。
【００９５】
そして、印刷処理は、印刷データ１４ａ、合紙画像データ９３、合紙画像データ９２の順に行われるため、印刷データ１４ａが印刷された用紙１００が第１排紙トレイ３６ｃに排出され、その上に合紙画像データ９３が印刷された合紙１０１が排出され、合紙画像データ９２が印刷された合紙１０２が第２排紙トレイ３６ｄに排出される。
【００９６】
このように、用紙１００の上に合紙１０１を排出することにより、つぎの印刷ジョブが実行された場合でも、異なる印刷ジョブにより印刷された用紙を容易に区別することができる。
【００９７】
また、合紙画像データ９２が印刷された合紙１０２を、合紙画像データ９３が印刷された合紙１０１とは別の第２排紙トレイ３６ｄに排出することにより、課金を行う者に対して発行される文書（送り側用文書）が印刷された合紙を容易に取り出すことができる。
【００９８】
図１１は、複合機３０の制御部３９が行う印刷制御処理の他の一例を示す図である。この例では、図９の場合と異なり、図４に示した設定画面６０において、チェックボックス６６がチェックされているものとする。
【００９９】
この場合、制御部３９のデータ生成部３９ｂは、合紙設定データ９０と課金額データ２２ｃとを用いて、課金を行う者に対して発行される文書（送り側用文書）の合紙の画像データ９２と、課金される者に対して発行される文書（受け側用文書）の合紙の画像データ９３とを生成する。
【０１００】
そして、制御部３９の処理制御部３９ｃは、まず、合紙画像データ９３を印刷処理部３５ａに出力して、印刷処理部３５ａに合紙画像データ９３の印刷を行わせる。その後、処理制御部３９ｃは、合紙画像データ９２を印刷処理部３５ａに出力して、印刷処理部３５ａに合紙画像データ９２の印刷を行わせる。さらに、処理制御部３９ｃは、印刷ジョブデータ９１を印刷処理部３５ａに出力して、印刷処理部３５ａに印刷データ１４ａの印刷を行わせる。
【０１０１】
図１２は、図１１に示した印刷処理後の用紙の排出状態を示す図である。図１１の例では、合紙画像データ９３を印刷した合紙が第１排紙トレイ３６ｃに排出されるように設定され、合紙画像データ９２を印刷した合紙が第２排紙トレイ３６ｄに排出されるように設定され、利用者により依頼された印刷ジョブにより印刷データ１４ａが印刷された用紙が第１排紙トレイ３６ｃに排出されるように設定されている。
【０１０２】
そして、印刷処理は、合紙画像データ９３、合紙画像データ９２、印刷データ１４ａの順に行われるため、合紙画像データ９３が印刷された合紙１０１が第１排紙トレイ３６ｃに排出され、合紙画像データ９２が印刷された合紙１０２が第２排紙トレイ３６ｄに排出され、合紙１０１の上に印刷データ１４ａが印刷された用紙１００が排出される。
【０１０３】
これにより、別の印刷ジョブが先に実行されていたとしても、異なる印刷ジョブにより印刷された用紙を容易に区別することができる。また、課金を行う者に対して発行される文書（送り側用文書）が印刷された合紙１０２を、用紙１００、合紙１０１を保持する第１排紙トレイ３６ｃとは異なる第２排紙トレイ３６ｄに排出するので、合紙１０２を容易に取り出すことができる。
【０１０４】
つぎに、本発明の実施形態に係る印刷処理の処理手順の一例について説明する。図１３は、本発明の実施形態に係る印刷処理の処理手順の一例を示すフローチャートである。まず、クライアント装置１０のアプリケーション実行部１５ａは、文書等の作成・編集作業を行っている利用者から、図３に示したような印刷設定を行うためのユーザインターフェース（UI:User Interface）を表示する指示を受け付ける（ステップＳ１０１）。
【０１０５】
そして、印刷制御部１５ｂは、図４に示したような印刷条件の設定画面６０において、印刷ジョブの設定や合紙の印刷設定を利用者から受け付ける（ステップＳ１０２）。
【０１０６】
続いて、印刷制御部１５ｂは、図４に示した宛名選択ボタン７５や注文番号ボタン７６が利用者によるマウス等の操作によりクリックされたことを検出し、アドレス帳や注文番号などの注文情報を送信するようにサーバ装置２０に要求する（ステップＳ１０３）。
【０１０７】
一方、サーバ装置２０の情報提供処理部２３ｂは、クライアント装置１０からの注文情報送信要求を待ち受け、また、印刷ジョブ実行要求送受信部２３ａは、クライアント装置１０からの印刷ジョブ実行要求を待ち受ける（ステップＳ１０７）。
【０１０８】
そして、クライアント装置１０により注文情報送信要求が送信された場合に、情報提供処理部２３ｂは、その注文情報送信要求を受信する（ステップＳ１０８）。続いて、情報提供処理部２３ｂは、クライアント装置１０により要求された注文情報をクライアント装置１０に送信する（ステップＳ１０９）。
【０１０９】
具体的には、注文情報送信要求においてアドレス帳の送信をクライアント装置１０から要求された場合、情報提供処理部２３ｂは、記憶部２２からアドレス帳２２ｄを読み出して、読み出したアドレス帳２２ｄをクライアント装置１０に送信する。また、注文情報送信要求において注文番号の送信をクライアント装置１０から要求された場合、情報提供処理部２３ｂは、記憶部２２から注文番号データ２２ｅを読み出し、注文番号データ２２ｅにすでに登録されている注文番号以外の注文番号を、新たに印刷ジョブに割り当てる注文番号としてクライアント装置１０に送信する。
【０１１０】
クライアント装置１０の印刷制御部１５ｂは、サーバ装置２０により送信された注文情報を受信し、注文情報に含まれる注文番号を合紙に印刷する注文番号として設定するとともに、その注文情報にアドレス帳が含まれる場合、そのアドレス帳を用いて利用者により選択された宛名を合紙に印刷する宛名として設定する（ステップＳ１０４）。
【０１１１】
その後、印刷制御部１５ｂは、印刷ジョブの実行指示を利用者から受け付けたか否かを判定する（ステップＳ１０５）。印刷ジョブの実行指示を利用者から受け付けず、図３に示したキャンセルボタン５４がユーザによるマウス等の操作によりクリックされるなどして、印刷ジョブの実行がキャンセルされた場合（ステップＳ１０５においてＮＯの場合）、ステップＳ１０１に移行して、その後の処理が継続される。
【０１１２】
図３に示したＯＫボタン５３がユーザによるマウス等の操作によりクリックされるなどして、印刷ジョブの実行指示を利用者から受け付けた場合（ステップＳ１０５においてＹＥＳの場合）、印刷制御部１５ｂは、利用者により印刷依頼がなされた印刷データ１４ａ、および、ステップＳ１０２で受け付けられた印刷設定データを含む印刷ジョブ実行要求をサーバ装置２０に送信する（ステップＳ１０６）。
【０１１３】
サーバ装置２０の印刷ジョブ実行要求送受信部２３ａは、クライアント装置１０により印刷ジョブ実行要求が送信された場合に、その印刷ジョブ実行要求を受信し、その印刷ジョブ実行要求を記憶部２２に記憶する（ステップＳ１１０）。
【０１１４】
そして、課金額算出部２３ｃは、前述したような方法で、印刷依頼をした利用者に課金する課金額を算出する（ステップＳ１１１）。その後、印刷ジョブ実行要求送受信部２３ａは、クライアント装置１０から受信した印刷ジョブ実行要求、および、課金額算出部２３ｃにより算出された課金額のデータを複合機１０に送信する（ステップＳ１１２）。
【０１１５】
一方、複合機１０の印刷ジョブ実行要求受信部３９ａは、クライアント装置１０からの印刷ジョブ実行要求の送信を待ち受ける（ステップＳ１１４）。そして、サーバ装置２０により課金額のデータとともに印刷ジョブ実行要求が送信された場合に、印刷ジョブ実行要求受信部３９ａは、その印刷ジョブ実行要求および課金額のデータを受信し、その印刷ジョブ実行要求および課金額のデータを記憶部３８に記憶する（ステップＳ１１５）。
【０１１６】
そして、データ生成部３９ｂ、処理制御部３９ｃ、印刷処理部３５ａは、利用者により印刷依頼がなされた印刷データ１４ａおよび合紙の印刷実行処理を行う（ステップＳ１１６）。この印刷実行処理については図１４を用いて詳しく説明する。
【０１１７】
印刷が完了した後、印刷ジョブ実行要求受信部３９ａは、印刷が完了したことを示す印刷完了通知をサーバ装置２０に送信する（ステップＳ１１７）。そして、サーバ装置２０の印刷ジョブ実行要求送受信部２３ａは、その印刷完了通知を受信し（ステップＳ１１３）、この印刷処理は終了する。
【０１１８】
つぎに、図１３のステップＳ１１６に示した印刷実行処理の処理手順の一例について説明する。図１４は、印刷実行処理の処理手順の一例を示すフローチャートである。まず、複合機１０のデータ生成部３９ｂは、合紙の印刷をすることを指示する設定データが印刷ジョブ実行要求に含まれているか否かを判定する（ステップＳ２０１）。
【０１１９】
合紙の印刷をすることを指示する設定データが印刷ジョブ実行要求に含まれていない場合（ステップＳ２０１においてＮＯの場合）、印刷処理部３５ａは、印刷ジョブ実行要求に含まれている印刷データ１４ａの印刷を実行する（ステップＳ２０８）。
【０１２０】
合紙の印刷をすることを指示する設定データが印刷ジョブ実行要求に含まれている場合（ステップＳ２０１においてＹＥＳの場合）、データ生成部３９ｂは、印刷ジョブ実行要求に含まれる宛名および注文番号のデータ、および、課金額のデータを用いて、合紙の画像データを生成する（ステップＳ２０２）。
【０１２１】
その後、処理制御部３９ｃは、合紙の印刷を最初に実行するよう指示する設定データが印刷ジョブ実行要求に含まれているか否かを判定する（ステップＳ２０３）。合紙の印刷を最初に実行するよう指示する設定データが印刷ジョブ実行要求に含まれている場合（ステップＳ２０３においてＹＥＳの場合）、処理制御部３９ｃは、合紙の印刷順序を「最初」に設定する（ステップＳ２０４）。
【０１２２】
合紙の印刷を最初に実行するよう指示する設定データが印刷ジョブ実行要求に含まれていない場合（ステップＳ２０３においてＮＯの場合）、処理制御部３９ｃは、合紙の印刷順序を「最後」に設定する（ステップＳ２０５）。
【０１２３】
ステップＳ２０４またはステップＳ２０５の処理の後、処理制御部３９ｃは、合紙の画像データを保存するよう指示する設定データが印刷ジョブ実行要求に含まれているか否かを判定する（ステップＳ２０６）。
【０１２４】
合紙の画像データを保存するよう指示する設定データが印刷ジョブ実行要求に含まれている場合（ステップＳ２０６においてＹＥＳの場合）、処理制御部３９ｃは、合紙の画像データを記憶部３８に記憶する（ステップＳ２０７）。記憶部３８に記憶された画像データは、後にＦＡＸ処理部３５ｄによりファクシミリ送信がなされ、または、電子メール送受信処理部３５ｅによりファイルとして電子メールに添付されて送信される。
【０１２５】
ステップＳ２０６において、合紙の画像データを保存するよう指示する設定データが印刷ジョブ実行要求に含まれていない場合（ステップＳ２０６においてＮＯの場合）、または、ステップＳ２０７の処理の後、処理制御部３９ｃは、利用者により印刷依頼を受けた印刷データ１４ａの印刷、および、合紙の印刷を行う（ステップＳ２０８）。
【０１２６】
具体的には、処理制御部３９ｃは、ステップＳ２０４において、合紙の印刷順序が「最初」に設定されている場合、印刷処理部３５ａを制御して、印刷処理部３５ａに合紙の印刷をまず実行させ、その後印刷データ１４ａの印刷を実行させる。また、処理制御部３９ｃは、ステップＳ２０５において、合紙の印刷順序が「最後」に設定されている場合、印刷処理部３５ａを制御して、印刷処理部３５ａに印刷データ１４ａの印刷をまず実行させ、その後合紙の印刷を実行させる。
【０１２７】
また、給紙トレイ、排紙トレイの設定データが印刷ジョブ実行要求に含まれている場合には、処理制御部３９ｃは、その設定データに応じて、給紙トレイ選択部３７ａを制御し、第１給紙トレイ３６ａ、または、第２給紙トレイ３６ｂから印刷に用いる用紙の供給を受けるようにし、また、排紙トレイ選択部３７ｂを制御し、印刷後の用紙を第１排紙トレイ３６ｃ、または、第２排紙トレイ３６ｄに排出するようにする。
【０１２８】
例えば、処理制御部３９ｃは、第１給紙トレイ３６ａに普通紙を保持しておき、第２給紙トレイ３６ｂにレターヘッド紙を保持しておき、印刷データ１４ａの印刷用の用紙は第１給紙トレイ３６ａから供給を受け、合紙の印刷用の用紙は第２給紙トレイ３６ｂから供給を受けるように制御する。これにより、合紙をビジネス文書としてそのまま用いることができるようになり、事務作業を迅速かつ正確に行うことが可能となる。
【０１２９】
また、処理制御部３９ｃは、課金される者に対して発行される文書（受け側用文書）を印刷した合紙は、印刷データ１４ａの印刷後の用紙が排出される第１排紙トレイ３６ｃに排出されるように制御し、課金を行う者に対して発行される文書（送り側用文書）を印刷した合紙は、第２排紙トレイ３６ｄに排出されるように制御する。これにより、課金を行う者に対して発行される文書（送り側用文書）を印刷した合紙を容易に取り出すことができる。
【０１３０】
さて、これまで印刷システムおよび印刷方法の実施形態を中心に説明を行ったが、本発明はこれらの実施形態に限定されるものではなく、印刷システムの機能を実現するためのコンピュータプログラムとしての形態、あるいは、当該コンピュータプログラムが記録されたコンピュータ読み取り可能な記録媒体の形態として本発明が実施されることとしてもよい。
【０１３１】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１３２】
これら記録媒体に上記実施形態における印刷システムの機能を実現させるコンピュータプログラム、または、印刷方法をコンピュータに実行させるコンピュータプログラムを記録して流通させることにより、コストの低廉化、及び可搬性や汎用性を向上させることができる。
【０１３３】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る印刷システムの機能を実現し、印刷方法を実行することができる。
【０１３４】
また、本発明は上述した実施形態に限定されず、本発明の要旨を逸脱しない範囲内で各種の変形、修正が可能である。例えば、合紙の印刷枚数は、課金される者に対して発行する文書を印刷した合紙と、課金を行う者に対して発行する文書を印刷した合紙の２枚に限定されず、それ以上の枚数であってもよい。
【０１３５】
また、上述した実施形態では、合紙に課金情報を印刷することとしたが、課金情報に加えて、印刷される画像についての関連情報を合紙に印刷することとしてもよい。関連情報には、印刷される画像のサムネイル画像や印刷される画像の総数などの情報が含まれる。
【０１３６】
印刷される画像のサムネイル画像や印刷される画像の総数などを印刷することにより、印刷後の仕分け作業などを容易にすることができ、作業者に関連情報を提供することにより、作業者の作業を効率化することができる。
【０１３７】
さらに、上述した実施形態では、図４に示したチェックボックス６２の設定とラジオボタン６３の設定とは独立に行うこととしたが、チェックボックス６２がユーザによりチェックされ、合紙に課金情報の印刷を行うように設定されたことに連動して、印刷制御部１５ｂが、課金される者に対して発行される文書（受け側用文書）と、課金を行う者に対して発行される文書（送り側用文書）の両方を印刷する設定にラジオボタン６３を自動的に設定することとしてもよい。この処理は、図１３に示したステップＳ１０２の処理において行うこととする。これにより、ユーザは合紙の印刷設定操作を容易にすることができる。
【０１３８】
また、チェックボックス６２がユーザによりチェックされ、合紙に課金情報の印刷を行うように設定されたことに連動して、印刷制御部１５ｂが、ラジオボタン６３でユーザにより選択された印刷処理の設定を行うとともに、チェックボックス６４を自動的にチェックし、合紙の画像データをファイルとして保存する設定を自動的に行うこととしてもよい。
【０１３９】
また、チェックボックス６２がユーザによりチェックされ、合紙に課金情報の印刷を行うように設定されたことに連動して、印刷制御部１５ｂが、ラジオボタン６３でユーザにより選択された印刷処理の設定を行うとともに、合紙の画像データをファクシミリ送信する設定や、合紙の画像データをファイルとして電子メールに添付して送信する設定などのさまざまな画像データの出力設定を自動的に行うこととしてもよい。これらの処理は、図１３に示したステップＳ１０２の処理において行うこととする。これにより、ユーザは合紙の出力設定操作を容易にすることができる。
【０１４０】
ファクシミリ送信の宛先のファクシミリ番号や、電子メールによる送信の宛先の電子メールアドレスの情報は、それらの情報を登録したサーバ装置２０のアドレス帳２２ｄから取得すればよい。
【０１４１】
そして、複合機３０は、上記設定情報を受信して、合紙の画像データをファイルとして保存する処理や、合紙の画像データをファクシミリ送信する処理、または、合紙の画像データをファイルとして電子メールに添付して送信する処理などのさまざまな出力処理を実行する。
【０１４２】
なお、チェックボックス６２がユーザによりチェックされ、合紙に課金情報の印刷を行うように設定されたことに連動して、印刷制御部１５ｂが、課金される者に対して発行される文書（受け側用文書）と、課金を行う者に対して発行される文書（送り側用文書）の両方を印刷する設定にラジオボタン６３を自動的に設定する処理を行うのか、それとも、ラジオボタン６３で選択された印刷処理の設定を行うとともに、上述したさまざまな画像データの出力設定を行うのかを選択できるようにしてもよい。
【０１４３】
例えば、予めクライアント装置１０は、印刷設定データ１４ｂに上記２つの設定処理のいずれを実行するかを初期設定として記憶しておき、その初期設定に基づいて、いずれかの設定処理を実行することとすればよい。ユーザは、この初期設定を変更することにより、適宜実行する設定処理を変更できる。
【符号の説明】
【０１４４】
１０…クライアント装置、１１，３１…入力部、１２，３２…表示部、１３，２１，３３…ネットワークインターフェース部、１４，２２，３８…記憶部、１４ａ…印刷データ、１４ｂ…印刷設定データ、１５，２３，３９…制御部、１５ａ…アプリケーション実行部、１５ｂ…印刷制御部、２０…サーバ装置、２２ａ，３８ａ…印刷ジョブ実行要求、２２ｂ…料金データ、２２ｃ，３８ｂ…課金額データ、２２ｄ…アドレス帳、２２ｅ…注文番号データ、２３ａ…印刷ジョブ実行要求送受信部、２３ｂ…情報提供処理部、２３ｃ…課金額算出部、３０…複合機、３４…電話網インターフェース部、３５…処理実行部、３５ａ…印刷処理部、３５ｂ…コピー処理部、３５ｃ…スキャン処理部、３５ｄ…ＦＡＸ処理部、３５ｅ…電子メール送受信部、３６…トレイ、３６ａ…第１給紙トレイ、３６ｂ…第２給紙トレイ、３６ｃ…第１排紙トレイ、３６ｄ…第２排紙トレイ、３７…トレイ選択部、３７ａ…給紙トレイ選択部、３７ｂ…排紙トレイ選択部、３８ｃ…合紙データ、３９ａ…印刷ジョブ実行要求受信部、３９ｂ…データ生成部、３９ｃ…処理制御部、４０…ネットワーク、５０…ユーザインターフェース、５１，６１，６８，６９，７０，７１，７２，７３…プルダウンメニュー、５２…プロパティボタン、５３…ＯＫボタン、５４…キャンセルボタン、６０…設定画面、６２，６４，６６，６７…チェックボックス、６３，６５…ラジオボタン、７４…宛名印刷設定ボタン、７５…宛名選択ボタン、７６…注文番号ボタン、８０…文書または画像、８１，８２…文書、８３…割引チケット、９０…合紙設定データ、９１…印刷ジョブデータ、９２，９３…合紙画像データ、１００…用紙、１０１，１０２…合紙
【図１】
2013069109.tif 000003
【図２】
2013069109.tif 000004
【図３】
2013069109.tif 000005
【図４】
2013069109.tif 000006
【図５】
2013069109.tif 000007
【図６】
2013069109.tif 000008
【図７】
2013069109.tif 000009
【図８】
2013069109.tif 000010
【図９】
2013069109.tif 000011
【図１０】
2013069109.tif 000012
【図１１】
2013069109.tif 000013
【図１２】
2013069109.tif 000014
【図１３】
2013069109.tif 000015
【図１４】
2013069109.tif 000016